【手続補正書】
【提出日】平成18年10月16日(2006.10.16)
【手続補正１】
【補正対象書類名】明細書
【補正対象項目名】特許請求の範囲
【補正方法】変更
【補正の内容】
【特許請求の範囲】
【請求項１】複数のフレームで構成されるデジタル映像信号データを再生するものであって、画面の中央に映像表示領域があり、当該映像表示領域の上下が非映像表示領域となるレターボックス表示となる映像信号を生成する映像再生装置であって、
前記映像データを一時記憶する記憶手段と、
画面上の正規位置に前記フレームの映像部分を表示するための映像信号を前記映像データより生成する第１の映像信号生成手段と、
画面上の正規位置の上下における異なった位置であって、前記フレーム毎にそれぞれ異なった位置に前記フレームの映像部分を表示するための映像信号を前記映像データより生成する第２の映像信号生成手段と、
第１及び第２の映像信号を出力する映像信号出力端子とを具備したことを特徴とする映像再生装置。
【請求項２】映像フレームの映像部分を縦方向に圧縮したスクイーズ状態である映像データと、当該映像部分がスクイーズ状態で記録されていることを示す属性情報データを併せて記録した記録媒体を再生する映像再生装置であって、
前記記録媒体から前記映像データと、前記属性情報データとを読みとる読み取り手段と、
前記属性情報データに基づき、前記映像部分の記録状態を判定する判定手段と、 前記属性情報データに基づき、前記映像部分がスクイーズ状態で記録されていることが判断されたときは、レターボックス表示を行う映像信号を前記映像データより生成するレターボックス映像信号生成手段と、
前記映像データを一時記憶する記憶手段と、
画面上の正規位置に前記フレームの映像部分を表示するための映像信号を前記映像データより生成する第１の映像信号生成手段と、
画面上の正規位置の上下における異なった位置であって、前記フレーム毎にそれぞれ異なった位置に前記フレームの映像部分を表示するための第２の映像信号を前記映像データより生成する第２の映像信号生成手段と、
第１及び第２の映像信号を出力する映像信号出力端子とを具備したことを特徴とする映像再生装置。
【請求項３】映像フレームの映像部分を水平方向に圧縮したスクイーズ状態である映像データと、当該映像部分がスクイーズ状態で記録されていることを示す属性情報データを併せて記録した記録媒体を再生する映像再生装置であって、
前記記録媒体から前記映像データと、前記属性情報データとを読みとる読み取り手段と、
前記映像データを一時記憶する第１の記憶手段と、
前記属性情報データに基づき、前記映像部分の記録状態を判定する判定手段と、
前記レターボックス表示される映像部分の上下に表示される余白部分に重畳される余白用映像データを記憶した第２の記憶手段と、
前記属性情報データに基づき、前記映像部分がスクイーズ状態で記録されていることが判断されたときは、レターボックス表示を行う映像データの前記余白分部分に前記余白用映像データを重畳し、当該余白データを重畳後の映像データに基づいてレターボックス映像を表示するための映像信号を生成するレターボックス映像信号生成手段と、
画面上の正規位置に前記フレームの映像部分を表示するための映像信号を前記映像データより生成する第１の映像信号生成手段と、
画面上の正規位置の上下における異なった位置であって、前記フレーム毎にそれぞれ異なった位置に前記フレームの映像部分を表示するための第２の映像信号を前記映像データより生成する第２の映像信号生成手段と、
第１及び第２の映像信号を出力する映像信号出力端子とを具備したことを特徴とする映像再生装置。
【請求項４】映像フレームの映像部分を水平方向に圧縮したスクイーズ状態である映像データと、当該映像部分がスクイーズ状態で記録されていることを示す属性情報データを併せて記録した記録媒体を再生する映像再生装置であって、
前記記録媒体から前記映像データと、前記属性情報データとを読みとる読み取り手段と、
前記映像データを一時記憶する第１の記憶手段と、
前記属性情報データに基づき、前記映像部分の記録状態を判定する判定手段と、 前記レターボックス表示される映像部分の上下に表示される余白部分に重畳される余白用映像データを記憶した第２の記憶手段と、
前記属性情報データに基づき、前記映像部分がスクイーズ状態で記録されていることが判断されたときは、レターボックス表示を行う映像データの前記余白分部分に前記余白用映像データを重畳し、当該余白データを重畳後の映像データに基づいてレターボックス映像を表示するための映像信号を生成するレターボックス映像信号生成手段と、
画面上の正規位置に前記フレームの映像部分を表示するための映像信号を前記映像データより生成する第１の映像信号生成手段と、
画面上の正規位置の上下における異なった位置であって、前記フレーム毎にそれぞれ異なった位置に前記フレームの映像部分を表示するための第２の映像信号を前記映像データより生成する第２の映像信号生成手段と、
第１及び第２の映像信号を出力する映像信号出力端子と、
前記余白映像データの輝度を変更する輝度変更手段と、
を具備したことを特徴とする映像再生装置。
【請求項５】映像フレームの映像部分を水平方向に圧縮したスクイーズ状態である映像データと、当該映像部分がスクイーズ状態で記録されていることを示す属性情報データを併せて記録した記録媒体を再生する映像再生プログラムであって、
前記記録媒体から前記映像データと、前記属性情報データとを読みとる読み取り手段と、
前記属性情報データに基づき、前記映像部分の記録状態を判定する判定手段と、
前記属性情報データに基づき、前記映像部分がスクイーズ状態で記録されていることが判断されたときは、レターボックス表示を行う映像信号を前記映像データより生成するレターボックス映像信号生成手段と、
前記映像データを一時記憶する記憶手段と、
画面上の正規位置に前記フレームの映像部分を表示するための映像信号を前記映像データより生成する第１の映像信号生成手段と、
画面上の正規位置の上下における異なった位置であって、前記フレーム毎にそれぞれ異なった位置に前記フレームの映像部分を表示するための第２の映像信号を前記映像データより生成する第２の映像信号生成手段と、
第１及び第２の映像信号を出力する映像信号出力端子とを具備したことを特徴とする映像再生プログラム。
【請求項６】映像フレームの映像部分を水平方向に圧縮したスクイーズ状態である映像データと、当該映像部分がスクイーズ状態で記録されていることを示す属性情報データを併せて記録した記録媒体を再生する映像再生装置であって、
前記記録媒体から前記映像データと、前記属性情報データとを読みとる読み取り手段と、
前記属性情報データに基づき、前記映像部分の記録状態を判定する判定手段と、
前記属性情報データに基づき、前記映像部分がスクイーズ状態で記録されていることが判断されたときは、レターボックス表示を行う映像信号を前記映像データより生成するレターボックス映像信号生成手段と、
前記映像データを一時記憶する記憶手段と、
画面上の正規位置に前記フレームの映像部分を表示するための映像信号を前記映像データより生成する第１の映像信号生成手段と、
画面上の正規位置の上下における異なった位置であって、前記フレーム毎にそれぞれ異なった位置に前記フレームの映像部分を表示するための第２の映像信号を前記映像データより生成する第２の映像信号生成手段と、
第１及び第２の映像信号を出力する映像信号出力端子とを具備したことを特徴とする映像再生プログラム。